(57)【要約】【課題】簡易な構成でシール材がシール切れした場合に迅速かつ容易にシール切れ箇所を特定することができる外壁目地のシール構造及び判別治具を得る。【解決手段】外壁材１０の縦目地１２の屋内側にはシールバッカ１４が配設されており、又屋外側には不定形シール材１６が配置されている。シールバッカ１４の屋外側の面１４Ｂには複数の溝１８が形成されており、各溝１８内には着色塗料２４が保持されている。不定形シール材１６がシール切れして隙間２８が形成され、この隙間２８から雨水等が縦目地１２内に浸入すると、溝１８内に入った雨水等に着色塗料２４が溶け出して、色水が水切りから屋外へ排水されるようになっている。【選択図】図１
2011149260.tif 000002
【特許請求の範囲】
【請求項１】
外壁縦目地の屋外側に配置された湿式又は乾式のシール材と、
前記外壁縦目地の屋内側に設けられると共に目地高さ方向に沿って延在された保持部材と、
前記保持部材に保持され、水分や湿気と反応して溶出する着色塗料又は水分や湿気によって付着力がなくなって保持部材から剥がれる有色の粒状材と、
を有する外壁目地のシール構造。
【請求項２】
前記シール材は湿式とされ、
かつ、前記保持部材における前記シール材との対向面には、平面視で外壁縦目地の屋外側のスペースと連通されると共に内部に前記着色塗料又は前記粒状材を収容した溝状の流路が形成されている、
ことを特徴とする請求項１記載の外壁目地のシール構造。
【請求項３】
前記流路又は当該流路の終端に配置された排水手段は、屋外側から目視可能な位置まで延在されている、
ことを特徴とする請求項２記載の外壁目地のシール構造。
【請求項４】
前記流路は、前記保持部材における前記シール材との対向面に複数本形成されている、
ことを特徴とする請求項２又は請求項３記載の外壁目地のシール構造。
【請求項５】
前記流路には、建物高さに応じて異なる色が使用された着色塗料が収容されている、
ことを特徴とする請求項１〜請求項４のいずれか１項に記載の外壁目地のシール構造。
【請求項６】
前記シール材は乾式の一次ガスケットとされていると共に、前記保持部材は乾式の二次ガスケットとされており、
前記着色塗料又は前記粒状材は当該二次ガスケットの屋内側の表面に保持されている、
ことを特徴とする請求項１記載の外壁目地のシール構造。
【請求項７】
前記二次ガスケットの屋内側の表面には、建物高さに応じて異なる色が使用された着色塗料が保持されている、
ことを特徴とする請求項６記載の外壁目地のシール構造。
【請求項８】
請求項５又は請求項７記載の外壁目地のシール構造が適用された建物においてシール切れ箇所を特定する際に用いられ、
前記外壁縦目地の下部から排水された色水が有する色彩と建物高さとの対応関係が表示された、
ことを特徴とする判別治具。
【発明の詳細な説明】
【技術分野】
【０００１】
本発明は、シール材のシール切れ箇所を屋外側から特定することが可能な外壁目地のシール構造及び判別治具に関する。
【背景技術】
【０００２】
従来、外壁目地の防水シール材の耐久性は不確定であり、耐久性が継続している場合においても、１０年・１５年という単位で防水シール材の打ち替えが行われていた。また、耐久性がなくなった場合においても、漏水が室内まで浸入しないと、不具合に気づかないことが多かった。さらに、漏水が室内まで浸入しても、防水シールがどこで切れたのかを特定することは非常に困難であった。また、通常、漏水が室内に至るまでには時間を要し、その場合には内装不具合を伴う大きな修繕が必要となっていた。
【０００３】
ここで、下記特許文献１には、目地のシール切れ点検方法及び点検装置に関する技術が開示されている。簡単に説明すると、この目地シール切れ点検装置は、箱体状の囲み体を備えている。囲み体の頂壁部には覗き窓が嵌め込まれていると共に、ホースを介して真空掃除機が接続されている。さらに、囲み体の周縁部にはシール材が取り付けられている。
【０００４】
上記構成の目地シール切れ点検装置は、以下の如くして用いられる。すなわち、被点検箇所の目地に予め石鹸水を塗布した後、当該被点検箇所を囲み体で覆って密閉する。次に、真空掃除機を作動させて囲い体の内部を減圧する。このとき、目地のシール材が切れていれば、塗布した石鹸水が泡立つ。この様子を覗き窓を通して目視で確認することにより、どこでシール切れが生じたかを確認することができる、というものである。
【先行技術文献】
【特許文献】
【０００５】
【特許文献１】特開平０７−２８０６８９号公報
【発明の概要】
【発明が解決しようとする課題】
【０００６】
しかしながら、上記先行技術による場合、シール切れが生じた箇所を特定することはできるものの、目地シール切れ点検装置という大掛かりな専用の検査装置を用いなければならず、作業負担が大きくコストもかかる。また、囲い体単位で防水シールを順次点検していくので、その煩に堪えない。
【０００７】
また、防水シール材のシール切れが生じた際に、直ちに実際の漏水自体を視認することができる訳ではないので、シール材のシール切れを発見するのが遅れる。
【０００８】
本発明は上記事実を考慮し、簡易な構成でシール材がシール切れした場合に迅速かつ容易にシール切れ箇所を特定することができる外壁目地のシール構造及び判別治具を得ることが目的である。
【課題を解決するための手段】
【０００９】
請求項１記載の本発明に係る外壁目地のシール構造は、外壁縦目地の屋外側に配置された湿式又は乾式のシール材と、前記外壁縦目地の屋内側に設けられると共に目地高さ方向に沿って延在された保持部材と、前記保持部材に保持され、水分や湿気と反応して溶出する着色塗料又は水分や湿気によって付着力がなくなって保持部材から剥がれる有色の粒状材と、を有している。
【００１０】
請求項２記載の本発明に係る外壁目地のシール構造は、請求項１記載の発明において、前記シール材は湿式とされ、かつ、前記保持部材における前記シール材との対向面には、平面視で外壁縦目地の屋外側のスペースと連通されると共に内部に前記着色塗料又は前記粒状材を収容した溝状の流路が形成されている、ことを特徴としている。
【００１１】
請求項３記載の本発明に係る外壁目地のシール構造は、請求項２記載の発明において、前記流路又は当該流路の終端に配置された排水手段は、屋外側から目視可能な位置まで延在されている、ことを特徴としている。
【００１２】
請求項４載の本発明に係る外壁目地のシール構造は、請求項２又は請求項３記載の発明において、前記流路は、前記保持部材における前記シール材との対向面に複数本形成されている、ことを特徴としている。
【００１３】
請求項５記載の本発明に係る外壁目地のシール構造は、請求項１〜請求項４のいずれか１項に発明において、前記流路には、建物高さに応じて異なる色が使用された着色塗料が収容されている、ことを特徴としている。
【００１４】
請求項６記載の本発明に係る外壁目地のシール構造は、請求項１記載の発明において、前記シール材は乾式の一次ガスケットとされていると共に、前記保持部材は乾式の二次ガスケットとされており、前記着色塗料又は前記粒状材は当該二次ガスケットの屋内側の表面に保持されている、ことを特徴としている。
【００１５】
請求項７記載の本発明に係る外壁目地のシール構造は、請求項６記載の発明において、前記二次ガスケットの屋内側の表面には、建物高さに応じて異なる色が使用された着色塗料が保持されている、ことを特徴としている。
【００１６】
請求項８記載の本発明に係る判別治具は、請求項５又は請求項７記載の外壁目地のシール構造が適用された建物においてシール切れ箇所を特定する際に用いられ、前記外壁縦目地の下部から排水された色水が有する色彩と建物高さとの対応関係が表示された、ことを特徴としている。
【００１７】
請求項１記載の本発明によれば、外壁縦目地の屋外側に配置された湿式又は乾式のシール材は、経年変化により劣化してシール切れを起こすことがある。シール材が切れると、その部位から雨水等が外壁縦目地の内部へ浸入する。
【００１８】
ここで、本発明では、外壁縦目地の屋内側に目地高さ方向に延在する保持部材が設けられており、当該保持部材には着色塗料が保持されている。このため、外壁縦目地の内部に雨水等が浸入すると、着色塗料が当該雨水等と反応し溶出され又は保持部材に対する有色の粒状材の付着力がなくなり粒状材が剥がれ落ちる。これにより、雨水等は色水又は有色の粒状材を含んだ水となって保持部材に沿って流下し、外壁下部から排水される。その結果、多数の外壁縦目地の中から、どの外壁縦目地でシール切れが起こったかが、建物外部から一目で判る。しかも、従来技術のように専用の大掛かりな装置が必要になることもなく、特別な検査作業も要しない。
【００１９】
請求項２記載の本発明によれば、外壁縦目地の屋外側には湿式のシール材が配置されており、当該外壁縦目地の屋内側にはシール材との対向面に溝状の流路が形成された保持部材が配置されているので、湿式のシール材がシール切れして雨水等が浸入すると、その浸入水は保持部材の流路内へ入り込む。この流路内には着色塗料又は粒状材が収容されているため、流路に浸入水が入り込むと、当該浸入水に着色塗料が溶け出して色水が形成されるか又は粒状材が剥がれ落ちる。形成された色水又は粒状材を含んだ水は、流路を流下して外壁下部から排水される。
【００２０】
請求項３記載の本発明によれば、流路又は当該流路の終端に配置された排水手段が屋外側から目視可能な位置まで延在されているので、色水が確実に目視できる位置で排水される。
【００２１】
請求項４記載の本発明によれば、保持部材におけるシール材との対向面に複数本の流路が形成されているので、縦目地の目地幅に対する流路の配置の仕方を任意に選択することができる。このため、例えば、保持部材の幅方向の両側に流路を配置すれば、縦目地のどちら側の側面から漏水しても、浸入水を捉えることができる。
【００２２】
請求項５記載の本発明によれば、流路には建物高さに応じて異なる色が使用された着色塗料が収容されているので、シール切れが生じた箇所の高さに応じて排水される色水の色を変えることができる。
【００２３】
請求項６記載の本発明によれば、外壁縦目地の屋外側には乾式の一次ガスケットが装着されていると共に、外壁縦目地の屋内側には乾式の二次ガスケットが装着されており、着色塗料は二次ガスケットの屋内側の表面に保持されているので、二次ガスケットの屋内側の表面に雨水等が浸入すると、当該浸入水に着色塗料が溶け出すか又は粒状材が剥がれ落ちる。
【００２４】
請求項７記載の本発明によれば、二次ガスケットの屋内側の表面には建物高さに応じて異なる色が使用された着色塗料が保持されているので、シール切れが生じた箇所の高さに応じて排水される色水の色を変えることができる。
【００２５】
請求項８記載の本発明によれば、外壁縦目地の下部から排水された色水が有する色彩を判別治具上の色彩とを比較する。そして、排水された色水の色彩と同一の色彩のところに表示された建物高さが、シール切れが生じた箇所の高さとなる。
【発明の効果】
【００２６】
以上説明したように、請求項１記載の本発明に係る外壁目地のシール構造は、簡易な構成でシール材がシール切れした場合に迅速かつ容易にシール切れ箇所を特定することができるという優れた効果を有する。
【００２７】
請求項２記載の本発明に係る外壁目地のシール構造は、湿式のシール材のシール切れを的確に特定することができるという優れた効果を有する。
【００２８】
請求項３記載の本発明に係る外壁目地のシール構造は、シール材のシール切れを迅速に発見することができるという優れた効果を有する。
【００２９】
請求項４記載の本発明に係る外壁目地のシール構造は、縦目地内に浸入した雨水等を効率よく捕捉することができ、ひいてはシール切れを迅速に発見することができるという優れた効果を有する。
【００３０】
請求項５記載の本発明に係る外壁目地のシール構造は、湿式のシール材を用いた場合において、どの縦目地のシール材が切れたかのみならず、高さまで特定することができるという優れた効果を有する。
【００３１】
請求項６記載の本発明に係る外壁目地のシール構造は、乾式のシール材のシール切れを的確に特定することができるという優れた効果を有する。
【００３２】
請求項７記載の本発明に係る外壁目地のシール構造は、乾式のシール材を用いた場合において、どの縦目地のシール材が切れたかのみならず、高さまで特定することができるという優れた効果を有する。
【００３３】
請求項８記載の本発明に係る判別治具は、建物のどの高さでどの外壁縦目地のシール材が切れたかを極めて簡単に特定することができるという優れた効果を有する。
【図面の簡単な説明】
【００３４】
【図１】第１実施形態に係る外壁目地のシール構造の要部に係り、（Ａ）は不定形シール材がシール切れする前の状態を示す横断面図であり、（Ｂ）は不定形シール材がシール切れした状態を示す横断面図である。
【図２】図１に示される要部を縦目地に沿って切断した状態を示す縦断面図である。
【図３】図１に示されるシールバッカの断面形状を拡大して示す横断面図である。
【図４】図１及び図３に示されるシールバッカの斜視図である。
【図５】第２実施形態に係る外壁目地のシール構造の要部を示す縦目地の横断面図である。
【図６】図５に示される要部を縦目地に沿って切断した状態を示す縦断面図である。
【図７】第３実施形態に係る外壁目地のシール構造を示す住宅の立面図である。
【図８】第３実施形態に係る判別治具を示す平面図である。
【発明を実施するための形態】
【００３５】
〔第１実施形態〕
【００３６】
以下、図１〜図４を用いて、本発明に係る外壁目地のシール構造の第１実施形態について説明する。
【００３７】
図１（Ａ）、（Ｂ）には、外壁縦目地の横断面図が拡大して示されている。また、図２には、外壁縦目地の縦断面図が拡大して示されている。これらの図に示されるように、隣合う外壁材１０の幅方向の端部間には、所定幅の縦目地１２が形成されている。縦目地１２は、建物の高さ方向に沿って直線状に延在されている。なお、外壁材１０は、建物の屋外側の面に上下左右に必要枚数だけ配設されるので、縦目地１２も複数本形成されている。また、上下に隣合う外壁材１０間には横目地が形成される。
【００３８】
上述した縦目地１２の屋内側には、縦目地１２の目地深さを調整するための保持部材としてのシールバッカ１４が配設されている。シールバッカ１４は、柔らかい弾性材料によって構成されており、かつ縦目地１２に沿って長尺状に形成されている（図４も参照）。さらに、シールバッカ１４の両側面１４Ａは、隣合う外壁材１０の幅方向端部の端面１０Ａに密着されている。また、縦目地１２の屋外側には、湿式のシール材としての不定形シール材１６が打たれている。不定形シール材１６の両側面１６Ａは左右一対の外壁材１０の幅方向端部の端面１０Ａに密着されており、又屋内側の面１６Ｂはシールバッカ１４の屋外側の面１４Ｂに密着されている。なお、不定形シール材１６としては、コーキング材等が適用可能である。
【００３９】
図１〜図４に示されるように、上記シールバッカ１４の屋外側の面１４Ｂ、即ち不定形シール材１６と対向する面には、各々横断面形状が円形とされた複数本の溝１８が所定の間隔で形成されている。各溝１８の一部は、不定形シール材１６側へ開放されている（以下、この開放された部分を「溝開口部２０」と称す。）。従って、不定形シール材１６が打たれる前の状態では、溝１８は、溝開口部２０にて不定形シール材１６が充填されるべきスペース２２と連通されている。また、図１（Ａ）に示されるように、不定形シール材１６がシール切れする前の状態では、すべての溝１８の溝開口部２０が不定形シール材１６の屋内側の面１６Ｂによって閉止されている。
【００４０】
上述した複数本の溝１８のそれぞれには、着色塗料（着色材）２４が保持（付着）されている。より具体的には、所定量の着色塗料２４が溝１８の内周面に付着されることで、着色塗料２４が溝１８の内周面に保持されている。この着色塗料２４は、水分又は湿気（ここでは、「雨水等」という。）に晒されると、当該雨水等に溶出されるようになっている。なお、着色塗料２４は、顔料、染料のいずれでもよく、例えば水溶性塗料に塗料着色剤を混入させたものや水性絵の具の粉末等が含まれる。また、着色塗料２４を保持させるための構成としては、一例として着色塗料２４に予め接着剤を混入しておき、シールバッカ１４を製造する際に溝１８の内周面１８Ａに当該着色塗料２４をチューブから押し出して溝１８内に充填し、乾くと着色塗料２４が溝１８の内周面１８Ａに接着されるようにしてもよい。
【００４１】
図２に示されるように、外壁材１０の裏面側の下端部には、水切り２６が取り付けられている。水切り２６は、縦断面形状が略Ｚ字状に形成されており、外壁材１０の高さ方向に沿って延在する取付部２６Ａと、この取付部２６Ａの下端部から屈曲されて横目地を横断する受け部２６Ｂと、この受け部２６Ｂの屋外側の端部から屈曲垂下されて下階側の外壁材の上端部の屋外側の面（意匠面）を覆う排水部２６Ｃと、を含んで構成されており、横目地に沿って配設されている。
【００４２】
（作用・効果）
【００４３】
次に、本実施形態の作用並びに効果について説明する。
【００４４】
図１（Ａ）に示されるように、外壁材１０の縦目地１２の屋内側には目地深さを調整するシールバッカ１４が配設されており、又縦目地１２の屋外側にはこのシールバッカ１４を目地下地材として湿式の不定形シール材１６が打たれている。図１（Ａ）に示された状態のときには、不定形シール材１６にシール切れは生じておらず、不定形シール材１６の両側面１６Ａが外壁材１０の幅方向端部の端面１０Ａに密着されている。
【００４５】
この状態から、経年変化により不定形シール材１６が劣化（収縮）して、図１（Ｂ）に示される如く、不定形シール材１６の一方の側面１６Ａが、外壁材１０の幅方向端部の側面１４Ｂから剥離することがある。このように不定形シール材１６にシール切れが生じると、不定形シール材１６のシール切れした側の側面１６Ａと外壁材１０の幅方向の端面１０Ｂとの間に隙間２８が形成される。そして、この隙間２８から雨水等が縦目地１２の内部へ浸入（即ち、漏水）する。
【００４６】
隙間２８から浸入した雨水等は、シールバッカ１４の屋外側の面１４Ｂに形成された三つの溝開口部２０のうち、図１（Ｂ）において一番右側の溝開口部２０から溝１８内へ浸入する。このため、一番右側の溝１８内に保持された着色塗料２４が雨水等に溶け出して色水３０となる。図２に示されるように、この色水３０は溝１８内を流下して縦目地１２の下端部に配置された水切り２６の受け部２６Ｂに落下する。受け部２６Ｂには水勾配がつけられているので、受け部２６Ｂに落下した色水３０は受け部２６Ｂを伝って排水部２６Ｃから排水される。その結果、多数の縦目地１２の中から、どの縦目地１２でシール切れが起こったかが、建物外部から一目で判る。しかも、従来技術のように専用の大掛かりな装置が必要になることもなく、特別な検査作業も要しない。
【００４７】
以上より、本実施形態に係る外壁目地のシール構造によれば、簡易な構成で不定形シール材１６がシール切れした場合に迅速かつ容易にシール切れ箇所を特定することができる。
【００４８】
また、本実施形態によれば、縦目地１２の屋外側には湿式の不定形シール材１６が配置されており、縦目地１２の屋内側には不定形シール材１６との対向面に複数の溝１８が形成されたシールバッカ１４が配置されているシール構造において、不定形シール材１６がシール切れして雨水等が縦目地１２内に浸入したときには、シールバッカ１４に形成された複数の溝１８のいずれかに流入させることができる。従って、本実施形態によれば、湿式の不定形シール材１６のシール切れを的確に特定することができる。
【００４９】
さらに、本実施形態では、シールバッカ１４の屋外側の面１４Ｂに、複数の溝１８を目地幅方向に形成したので、縦目地１２のどちら側の側面から漏水しても、浸入水を捉えることができる。従って、縦目地１２内に浸入した雨水等を効率よく捕捉することができ、ひいてはシール切れを迅速に発見することができる。
【００５０】
また、本実施形態では、水切り２６から色水３０が外壁材１０の外側へ排水されるようにしたので、色水が確実に目視できる位置で排水される。その結果、本実施形態によれば、不定形シール材１６のシール切れを迅速に発見することができる。
【００５１】
〔第２実施形態〕
【００５２】
以下、図５及び図６を用いて、本発明に係る外壁目地のシール構造の第２実施形態について説明する。なお、前述した第１実施形態と同一構成部分については、同一番号を付してその説明を省略する。
【００５３】
図５及び図６に示されるように、この第２実施形態では、シール材として湿式の不定形シール材ではなく乾式の定型ガスケットを用いた場合において、本発明を適用した点に特徴がある。
【００５４】
これらの図に示されるように、縦目地１２の屋外側には、一次シール材として機能する一次定型ガスケット４０が弾性的に嵌着されている。また、縦目地１２の屋内側には、二次シール材として機能する二次定型ガスケット４２が弾性的に嵌着されている。一次定型ガスケット４０及び二次定型ガスケット４２は構造的には同様に構成されており、平板状の基部４４と、この基部４４の幅方向中間部から立設された逆Ｙ字形状の挿入部４６と、挿入部４６の両側面から互いに離間する方向へ二段に延出された一対のシールリップ部４８、５０と、これらのシールリップ部４８、５０間を連結する補強部５２と、によって構成されている。
【００５５】
ここで、本実施形態では、上述した目地構造において、屋内側に配置された二次定型ガスケット４２の目地挿入方向側のシールリップ部４８の先端部に、前述した第１実施形態で説明した着色塗料２４が付着されて保持されている。着色塗料２４を保持させるための構成としては、例えば着色塗料２４を予め棒状に成形しておき、当該着色塗料２４を二次定型ガスケット４２のシールリップ４８の先端部側の表面に接着剤で取り付ける（貼り付ける）ようにしてもよい。
【００５６】
（作用・効果）
【００５７】
上記構成によれば、縦目地１２の屋外側には乾式の一次定型ガスケット４０が装着されていると共に、縦目地１２の屋内側には乾式の二次定型ガスケット４２が装着されているおり、着色塗料２４は二次定型ガスケット４２の屋内側のシールリップ部４８の先端部の表面に保持されているので、二次定型ガスケット４２の屋内側のシールリップ部４８の先端部の表面側に雨水等が浸入すると、当該雨水等に着色塗料２４が溶け出す。これにより生じた色水３０は、図６に示されるように、二次定型ガスケット４２のシールリップ４８上を流下していき、水切り２６から屋外側へ排水される。その結果、多数の縦目地１２の中から、どの縦目地１２でシール切れが起こったかが、建物外部から一目で判る。しかも、従来技術のように専用の大掛かりな装置が必要になることもなく、特別な検査作業も要しない。
【００５８】
以上より、本実施形態に係る外壁目地のシール構造によっても、前述した第１実施形態と同様に、簡易な構成で不定形シール材１６がシール切れした場合に迅速かつ容易にシール切れ箇所を特定することができる。
【００５９】
〔第３実施形態〕
【００６０】
以下、図７及び図８を用いて、本発明に係る外壁目地のシール構造及び判別治具の第３実施形態について説明する。なお、前述した第１実施形態等と同一構成部分については、同一番号を付してその説明を省略する。
【００６１】
図７に示されるように、この第３実施形態では、着色塗料２４の色彩を建物高さによって変更した点に特徴がある。
【００６２】
以下、具体的に説明する。住宅６０は、基礎６２と、基礎６２上に構築された一階部分６４と、一階部分６４上に構築された二階部分６６と、二階部分６６上に構築された屋根部分６８とによって構成されている。一階部分６４の外壁材１０の下端部には、第１実施形態で説明した水切り２６が配設されている。また、二階部分６６の外壁材１０の下端部にも、同様構成の水切り２６が配設されている。
【００６３】
ここで、一階部分６４の外壁材１０の高さが上部７０、中部７２及び下部７４の三つの区分に分けられており、上部７０に位置されたシールバッカ１４の溝１８内には黄色の着色塗料２４が保持され、中部７２に位置されたシールバッカ１４の溝１８内には青色の着色塗料２４が保持され、更に下部７４に位置されたシールバッカ１４の溝１８内には赤色の着色塗料２４がそれぞれ保持されている。つまり、建物高さによって着色塗料２４の色彩が変更されている。
【００６４】
なお、前述した第１実施形態ではシールバッカ１４に３本の溝１８が形成されていたが、それぞれの溝１８に上部７０、中部７２及び下部７４で異なる色の着色塗料２４が保持されていてもよいし（以下、この態様を「第１の態様」と称す。）、３本の溝１８のうち１本には上部７０に相当する範囲に黄色の着色塗料２４を保持させ、２本目の溝１８には中部７２に相当する範囲に青色の着色塗料２４を保持させ、３本目の溝１８には下部７４に相当する範囲に赤色の着色塗料２４を保持させるようにしてもよい（以下、この態様を「第２の態様」と称す。）。
【００６５】
一方、図８には、判別治具７８の平面図が示されている。この図に示されるように、判別治具７８の表面（表示面）の左側には、上から順に「上部漏水」、「中部漏水」、「下部漏水」の文字が記されている。また、判別治具７８の表面（表示面）の右側には、上から順に「黄＋青＋赤→  黒」、「青＋赤→  紫」、「赤→  赤」の文字が記されている。
【００６６】
そして、左側の表示と右側の表示を白抜きの矢印で結んだ表示構成が採られている。
【００６７】
（作用・効果）
【００６８】
上記構成によれば、例えば、第１の態様であれば、一階部分６４の上部７０から漏水した場合、最初に黄色の着色塗料２４が浸入水に溶け出し、流下していく際に中部７２に対応して配置された青色の着色塗料２４、下部７４に対応して配置された赤色の着色塗料２４が順次溶け出し、最終的には黒色の色水３０となって、水切り２６から排水される。なお、浸入水が３本の溝１８のすべてに入り込んだ場合は、黒色の色水３０が３本の溝１８のすべてから排水され、浸入水が左右いずれかの１本の溝１８のみに入り込んだ場合には、当該１本の溝１８から黒色の色水３０が排水されることになる。
【００６９】
色水３０からシール切れした箇所を特定する際には、判別治具７８が使用される。判別治具７８で排水された色水３０の色と右側に表示された色とを照らし合わせ、該当するものを特定する。この場合、色水３０の色は黒色なので、右上の表示と適合しており、その場合の漏水位置を左側の表示で参照すると、「上部漏水」と判定できる。
【００７０】
なお、一階部分６４の中部７２から漏水した場合は、最初に青色の色水３０となり、続いて赤色の着色塗料２４が溶け出して混ざり、紫色の色水３０となって水切り２６から排水される。また、一階部分６４の下部７４から漏水した場合は、赤色の色水３０のみが水切り２６から排水される。これにより、一階部分６４の中部７２或いは下部７４から漏水したことが一目で解る。二階部分６６についても同様の判定の仕方を行う。
【００７１】
このように本実施形態によれば、どの縦目地１２の不定形シール材１６が切れたかのみならず、シール切れが生じた高さまで特定することができる。
【００７２】
なお、第２の態様の場合には、一つの溝１８について一色の色水３０が流下し、水切り２６上に落下した際に混合されて所定の色水３０となって排水されることになる。従って、第２の態様によっても、同様の結果が得られる。この場合、一つの溝１８には上部７０、中部７２、下部７４のいずれかの範囲にのみ着色塗料２４が収容及び保持されるので、上記構成に比べて、使用する着色塗料２４を節約することができるというメリットがある。
【００７３】
また、第２実施形態で説明した一次定型ガスケット４０及び二次定型ガスケット４２を使った場合も、同様にしてシール切れした箇所及び高さを特定することができる。
【００７４】
〔上記実施形態の補足説明〕
【００７５】
（１）上述した実施形態では、水切り２６から色水３０が排水され、その色からシール切れした箇所を特定するようになっていたが、これに限らず、図２に二点鎖線で図示したように、水切り２６の表面に色水３０と反応して水切り２６の表面を変色させる薬剤８０を塗布するようにしてもよい。この場合、色水３０が排水されなくなった後も、その痕跡が水切り２６の排水部２６Ｃの表面に「変色」というかたちで残るので、色水３０が排水されている現場に居合わせていなかったとしても、後日にシール切れしたこと及びシール切れした箇所を知ることができる。
【００７６】
（２）上述した実施形態では、住宅６０に対して本発明を適用したが、これに限らず、建物であればよく、住宅に限られない。
【００７７】
（３）上述した実施形態、例えば第１実施形態では、流路であるシールバッカ１４の下端部に排水手段である水切り２６が配置されており、水きり２６から排水された色水３０が屋外側から視認できるように構成されていたが、これに限らず、流路であるシールバッカ１４の下端部を延長させて水切り２６の上面に沿って屋外側まで引き出しておいてもよい。この場合、シールバッカ１４の延長部分の先端部から色水３０が排水されることになる。この構成を採用した場合のメリットは、以下の通りである。すなわち、不定形シール材１６がシール切れして漏水したとしても、そのときの降雨状況等によってはそれほど多くの雨水が浸入しないことも考えられる。その場合、色水３０の生成量が少なくなるため、水切り２６の上面に色水３０が落下して排水される際に水流が多少広がることを考えると、色水３０が排水される前に水切り２６の上面に停滞して終了するということも考えられる。しかし、この構成のように、シールバッカ１４の下端部を水切り３０の排水部３０Ｃの手前ぐらいまで延長させておけば、色水３０の水量が少なくても色水３０が確実に屋外側へ排水されるというメリットがある。
【００７８】
（４）また、上述した実施形態では、着色塗料２４、７６を用いたが、これに限らず、有色の粒状材（例えば、黄砂のような黄色い砂や砂時計等に用いられる彩色された砂等）を溝１８の内周面に水溶性の接着剤で付着させるようにしてもよい。この場合、溝１８内に雨水等が浸入すると、接着剤が溶けて付着力がなくなり、粒状材が溝１８内を浸入水に乗って流下していくことになる。
【符号の説明】
【００７９】
１０      外壁材
１２      縦目地
１４      シールバッカ（保持部材）
１４Ｂ    屋外側の面（シール材との対向面）
１６      不定形シール材（シール材）
１８      溝（流路）
２２      スペース
２４      着色塗料
２６      水切り（排水手段）
３０      色水
４０      一次定型ガスケット（一次ガスケット、シール材）
４２      二次定型ガスケット（二次ガスケット、シール材）
６０      住宅（建物）
７６      着色塗料
７８      判別治具
【図１】
2011149260.tif 000003
【図２】
2011149260.tif 000004
【図３】
2011149260.tif 000005
【図４】
2011149260.tif 000006
【図５】
2011149260.tif 000007
【図６】
2011149260.tif 000008
【図７】
2011149260.tif 000009
【図８】
2011149260.tif 000010